(57)【要約】【課題】目に優しく且つ照射面の照度を高くすることができる照明装置を提供する。【解決手段】光源としての発光ダイオード８が設けられた灯具本体５と、前記発光ダイオード８の照射側を覆う透光体６とを有する照明装置としての電気スタンド１において、前記灯具本体５に対して前記透光体６を可動に設けると共に、この透光体６に、前記発光ダイオード８に対応して、透明部１５と散光部１６を前記透光体６の移動方向に並べて設けたことで、前記発光ダイオード８が照射した光が前記散光部１６を通過すると、光が散乱して柔らかくなり、目に優しくすることができると共に、前記発光ダイオード８の照射した光に色斑があっても、散乱により混色されるので、色斑が目立たなくなる。また、前記透光体６を移動させることで、前記発光ダイオード８が照射した光が前記透明部１５を通過すると、光を殆ど散乱させずに強い光を得ることができる。【選択図】図２
2010153106.tif 000002
【特許請求の範囲】
【請求項１】
光源としての発光ダイオードが設けられた灯具本体と、前記発光ダイオードの照射側を覆う透光体とを有する照明装置において、
前記透光体を前記灯具本体に対して可動に設けると共に、前記発光ダイオードに対応して、前記透光体に透明部と散光部を前記透光体の移動方向に並べて設けたことを特徴とする照明装置。
【請求項２】
前記透光体を透明な材質にて構成すると共に、前記透光体の一部の表面を粗くすることで前記散光部を形成したことを特徴とする請求項１記載の照明装置。
【発明の詳細な説明】
【技術分野】
【０００１】
本発明は、光源として発光ダイオードを用いた照明装置に関するものである。
【背景技術】
【０００２】
従来、この種の照明装置としては、器具本体（本願発明の灯具本体に相当する）に、光源としての発光ダイオードを設けたものが知られている（例えば、特許文献１参照。）。そして、このような照明装置では、一般的に、白色又は電球色の発光ダイオードが用いられるのが一般的である。
【特許文献１】特開２００７−２００７１９号公報
【発明の開示】
【発明が解決しようとする課題】
【０００３】
しかしながら、このような照明装置においては、発光ダイオードから照射された光が、中心部と周辺部とで異なった色調になってしまうという問題が生ずることがあった。これは、発光ダイオードの半導体チップから放出された光と、この光によって励起されて発する補色の蛍光とを混色することで、白色光を作り出している発光ダイオード自体の構造に起因するものである。即ち、半導体チップから放出された光と蛍光とが一様に混ざらなかった場合、上述の問題が生ずる。この問題は、発光ダイオード自体に、或いは発光ダイオードの照射側を覆うように、散光部を設けることで解決することができる。しかしながら、前者の構造の場合、部品の選択の幅が狭まってしまうという問題がある。また、上述したように散光部を設けると、光が柔らかくなって強い影ができず、目に優しくなるという利点があるものの、照射光が分散することによって、照射面の照度が低下するという欠点があった。
【０００４】
本発明は以上の問題点を解決し、目に優しく、且つ照射面の照度を高くすることができる照明装置を提供することを目的とする。
【課題を解決するための手段】
【０００５】
本発明の請求項１に記載の照明装置は、光源としての発光ダイオードが設けられた灯具本体と、前記発光ダイオードの照射側を覆う透光体とを有する照明装置において、前記透光体を前記灯具本体に対して可動に設けると共に、前記発光ダイオードに対応して、前記透光体に透明部と散光部を前記透光体の移動方向に並べて設けたものである。
【０００６】
また、本発明の請求項２に記載の照明装置は、請求項１において、前記透光体を透明な材質にて構成すると共に、前記透光体の一部の表面を粗くすることで前記散光部を形成したものである。
【発明の効果】
【０００７】
本発明の請求項１に記載の照明装置は、以上のように構成することにより、通常の使用においては、前記発光ダイオードから照射された光が前記散光部を通過するようにすることで、光を適度に散乱させて柔らかくし、目に優しくすることができると共に、前記発光ダイオードから照射された光の中心と周辺とで色斑があったとしても、散乱によって混色されるので、色斑を目立たせなくすることができる。また、明るさが必要な場合に、前記透光体を移動させて、前記発光ダイオードから照射された光が前記透明部を通過するようにすることで、光を殆ど散乱させずに強い光を得ることができる。
【０００８】
また、前記透光体の一部の表面を粗くして前記散光部を形成することで、前記透光体を一体成形することができる。
【発明を実施するための最良の形態】
【０００９】
以下、本発明の第一の実施形態について、図１乃至図３に基づいて説明する。１は照明装置としての電気スタンドである。この電気スタンド１は、基部２と、この基部２から上方に伸びて設けられた腕部３と、この腕部３の先端に設けられた灯具４とを有して構成されている。なお、前記基部２には、図示しない点灯回路とスイッチとが設けられている。
【００１０】
前記灯具４は、灯具本体５と、透光体６とを有して構成されている。前記灯具本体５の外殻体７内には、光源としての複数の発光ダイオード８が設けられている。なお、本例では前記発光ダイオード８を複数設けているが、出力が十分高ければ、前記発光ダイオード８を一つだけ設けても良い。また、これらの発光ダイオード８は、放熱板９に伝熱的に取り付けられている。また、前記灯具本体５の外殻体７における前記発光ダイオード８の照射側には、凹部１０が設けられていると共に、この凹部１０に、前記発光ダイオード８から照射される光を通過させるための開口部１１及び前記透光体６を案内するための案内溝１２が形成されている。また、前記発光ダイオード８と開口部１１との間には、前記発光ダイオード８に対応して反射体１３が設けられている。更に、前記外殻体７には、前記放熱板９に対応して、多数の放熱孔１４が形成されている。
【００１１】
前記透光体６は、透明な合成樹脂によって一体に成形されている。そして、前記透光体６には、前記案内溝１２に対応して図示しない摺動突起が設けられている。即ち、前記透光体６は、図示しない前記摺動突起が前記案内溝１２を摺動するように、前記灯具本体５に対して移動可能に取り付けられている。なお、本例では、複数の前記発光ダイオード８の並び方向と、前記透光体６の移動方向とが一致する。そして、前記透光体６には、表面が平滑に形成された透明部１５と、表面が粗く形成された散光部１６とが、それぞれ前記発光ダイオード８と同数ずつ、前記透光体６の移動方向に並んで交互に設けられている。なお、前記透光体６の一部の表面を平滑にすることで前記透明部１５を形成し、前記透光体６の一部の表面を粗くすることで前記散光部１６を形成することができるので、部品点数を少なくして組み立て工数を減少させることができる。また、前記各透明部１５の中心間距離Ｄｔ及び前記各散光部１６の中心間距離Ｄｄは、それぞれ前記各発光ダイオード８の中心間距離Ｄｌと一致する。また、前記透光体６には、この透光体６を前記案内溝１２に沿って移動させるための指掛部１７が形成されている。
【００１２】
次に、本実施形態の作用について説明する。まず使用者は、使用目的に応じて、予め前記透光体６を灯具本体５に対して移動させておく。なお、通常の使用においては、図３に示すように、前記散光部１６によって前記発光ダイオード８の照射側を覆う。そして、使用者は、前記基部２に設けられた図示しない前記スイッチを操作する。このスイッチが操作されると、図示しない前記点灯回路によって、前記灯具４の発光ダイオード８に電力が供給され、これらの発光ダイオード８が点灯する。
【００１３】
前記発光ダイオード８から照射された光は、一部が直接、また一部が前記反射体１３によって反射された後、前記散光部１６を通過する。この際、前記発光ダイオード８からの照射光は、適度に散乱することになる。従って、前記散光部１６を通過した光は、通過前の光に比べて弱くなるものの、強い影ができない柔らかく目に優しいものとなる。また、前述したように、前記発光ダイオード８からの照射光の中心と周辺とで色斑が生じたとしても、照射光が前記散光部１６を通過する際に適度に散乱することで混色されるので、色斑を目立たせなくすることができる。
【００１４】
そして、明るさが必要な作業を行う場合、図２に示すように、前記透光体６を移動させ、前記透明部１５によって前記発光ダイオード８の照射側を覆う。そして、前記基部２に設けられた図示しない前記スイッチを操作して、前記発光ダイオード８を点灯させる。これらの発光ダイオード８から照射された光は、一部が直接、また一部が前記反射体１３によって反射された後、前記透明部１５を通過する。この際、前記発光ダイオード８からの照射光は、殆ど散乱することなく、前記透明部１５を通過する。従って、前記透明部１５を通過した光は、色斑及び強くはっきりした影が生じてしまうという欠点はあるものの、通過前の光に比べて殆ど弱くなることなく、被照射面を明るく照らすことができる。
【００１５】
以上のように本発明は、光源としての発光ダイオード８が設けられた灯具本体５と、前記発光ダイオード８の照射側を覆う透光体６とを有する照明装置としての電気スタンド１において、前記灯具本体５に対して前記透光体６を可動に設けると共に、この透光体６に、前記発光ダイオード８に対応して、透明部１５と散光部１６を前記透光体６の移動方向に並べて設けたことで、通常の使用においては、前記発光ダイオード８から照射された光が前記散光部１６を通過するようにすることで、光を適度に散乱させて柔らかくし、目に優しくすることができると共に、前記発光ダイオード８から照射された光の中心と周辺とで色斑があっても、散乱によって混色されるので、色斑を目立たせなくすることができるものである。また、明るさが必要な場合に、前記透光体６を移動させて、前記発光ダイオード８から照射された光が前記透明部１５を通過するようにすることで、光を殆ど散乱させずに強い光を得ることができるものである。更に、前記透光体６の一部の表面を平滑にして前記透明部１５を形成すると共に、一部の表面を粗くして前記散光部１６を形成することで、前記透光体６を一体成形することができるものである。
【００１６】
次に、本発明の第二の実施形態について、図４乃至図６に基づいて説明する。２０は照明装置としての電気スタンドである。この電気スタンド２０は、基部２と、この基部２から上方に伸びて設けられた腕部３と、この腕部３の先端に設けられた灯具２１とを有して構成されている。なお、前記基部２には、図示しない点灯回路とスイッチとが設けられている。
【００１７】
前記灯具２１は、灯具本体５と、透光体２２とを有して構成されている。前記灯具本体５の外殻体７内には、光源としての複数の発光ダイオード８が設けられている。なお、本例では前記発光ダイオード８を複数設けているが、出力が十分高ければ、前記発光ダイオード８を一つだけ設けても良い。また、これらの発光ダイオード８は、放熱板９に伝熱的に取り付けられている。また、前記灯具本体５の外殻体７における前記発光ダイオード８の照射側には、凹部１０が設けられていると共に、この凹部１０に、前記発光ダイオード８から照射される光を通過させるための開口部１１及び前記透光体２２を案内するための案内溝１２が形成されている。また、前記発光ダイオード８と開口部１１との間には、前記発光ダイオード８に対応して反射体１３が設けられている。更に、前記外殻体７には、前記放熱板９に対応して、多数の放熱孔１４が形成されている。
【００１８】
前記透光体２２は、透明な合成樹脂によって成形されている。そして、前記透光体２２には、前記案内溝１２に対応して図示しない摺動突起が設けられている。即ち、前記透光体２２は、図示しない前記摺動突起が前記案内溝１２を摺動するように、前記灯具本体５に対して移動可能に取り付けられている。なお、本例では、複数の前記発光ダイオード８の並び方向と、前記透光体２２の移動方向とが一致する。そして、前記透光体２２には、表面が平滑に形成された凹部２３が、前記発光ダイオード８の２倍、前記透光体２２の移動方向に並んで設けられている。そして、前記凹部２３の半数、即ち前記発光ダイオード８と同数に、散光フィルタ２４が取り付けられている。なお、前記散光フィルタ２４は、前記凹部２３に一つおきに取り付けられる。これによって、前記散光フィルタ２４が取り付けられない前記凹部２３が透明部２５となり、前記散光フィルタ２４が取り付けられた前記凹部２３が散光部２６となる。そして、前記透光体２２には、前記透明部２５と散光部２６とが交互に設けられる。また、前記各透明部２５の中心間距離Ｄｔ及び前記各散光部２６の中心間距離Ｄｄは、それぞれ前記各発光ダイオード８の中心間距離Ｄｌと一致する。更に、前記透光体２２には、この透光体２２を前記案内溝１２に沿って移動させるための指掛部２７が形成されている。
【００１９】
次に、本実施形態の作用について説明する。まず使用者は、使用目的に応じて、予め前記透光体２２を灯具本体５に対して移動させておく。なお、通常の使用においては、図６に示すように、前記散光部２６によって前記発光ダイオード８の照射側を覆う。そして、使用者は、前記基部２に設けられた図示しない前記スイッチを操作する。このスイッチが操作されると、図示しない前記点灯回路によって、前記灯具２０の発光ダイオード８に電力が供給され、これらの発光ダイオード８が点灯する。
【００２０】
前記発光ダイオード８から照射された光は、一部が直接、また一部が前記反射体１３によって反射された後、前記散光部２６を通過する。この際、前記発光ダイオード８からの照射光は、前記散光フィルタ２４によって適度に散乱することになる。従って、前記散光部２６を通過した光は、通過前の光に比べて弱くなるものの、強い影ができない柔らかく目に優しいものとなる。また、前述したように、前記発光ダイオード８からの照射光の中心と周辺とで色斑が生じたとしても、照射光が前記散光フィルタ２４を通過する際に適度に散乱することで混色されるので、色斑を目立たせなくすることができる。
【００２１】
そして、明るさが必要な作業を行う場合、図５に示すように、前記透光体２２を移動させ、前記透明部２５によって前記発光ダイオード８の照射側を覆う。そして、前記基部２に設けられた図示しない前記スイッチを操作して、前記発光ダイオード８を点灯させる。これらの発光ダイオード８から照射された光は、一部が直接、また一部が前記反射体１３によって反射された後、前記透明部２５を通過する。この際、前記発光ダイオード８からの照射光は、殆ど散乱することなく、前記透明部２５を通過する。従って、前記透明部２５を通過した光は、色斑及び強くはっきりした影が生じてしまうという欠点はあるものの、通過前の光に比べて殆ど弱くなることなく、被照射面を明るく照らすことができる。
【００２２】
以上のように本発明は、光源としての発光ダイオード８が設けられた灯具本体５と、前記発光ダイオード８の照射側を覆う透光体２２とを有する照明装置としての電気スタンド２０において、前記灯具本体５に対して前記透光体２２を可動に設けると共に、この透光体２２に、前記発光ダイオード８に対応して、透明部２５と散光部２６を前記透光体２２の移動方向に並べて設けたことで、通常の使用においては、前記発光ダイオード８から照射された光が前記散光部２６を通過するようにすることで、光を適度に散乱させて柔らかくし、目に優しくすることができると共に、前記発光ダイオード８から照射された光の中心と周辺とで色斑があっても、散乱によって混色されるので、色斑を目立たせなくすることができるものである。また、明るさが必要な場合に、前記透光体２２を移動させて、前記発光ダイオード８から照射された光が前記透明部２５を通過するようにすることで、光を殆ど散乱させずに強い光を得ることができるものである。
【００２３】
次に、本発明の第三の実施形態について、図７乃至図９に基づいて説明する。３０は照明装置としての電気スタンドである。この電気スタンド３０は、基部２と、この基部２から上方に伸びて設けられた腕部３と、この腕部３の先端に設けられた灯具３１とを有して構成されている。なお、前記基部２には、図示しない点灯回路とスイッチとが設けられている。
【００２４】
前記灯具３１は、灯具本体５と、透光体３２とを有して構成されている。前記灯具本体５の外殻体７内には、光源としての複数の発光ダイオード８が設けられている。なお、本例では前記発光ダイオード８を複数設けているが、出力が十分高ければ、前記発光ダイオード８を一つだけ設けても良い。また、これらの発光ダイオード８は、放熱板９に伝熱的に取り付けられている。また、前記灯具本体５の外殻体７における前記発光ダイオード８の照射側には、凹部１０が設けられていると共に、この凹部１０に、前記発光ダイオード８から照射される光を通過させるための開口部１１及び前記透光体３２を案内するための案内溝１２が形成されている。更に、前記外殻体７には、前記放熱板９に対応して、多数の放熱孔１４が形成されている。
【００２５】
前記透光体３２は、透明な合成樹脂によって成形されている。そして、前記透光体３２には、前記案内溝１２に対応して図示しない摺動突起が設けられている。即ち、前記透光体３２は、図示しない前記摺動突起が前記案内溝１２を摺動するように、前記灯具本体５に対して移動可能に取り付けられている。なお、本例では、複数の前記発光ダイオード８の並び方向と、前記透光体３２の移動方向とが一致する。そして、前記透光体３２には、貫通孔３３と、表面が粗く形成された散光部３４とが、それぞれ前記発光ダイオード８と同数ずつ、前記透光体６の移動方向に並んで交互に設けられている。そして、前記貫通孔３３には、光学樹脂によって形成された透明部としてのレンズ３５が取り付けられている。これによって、前記透光体３２には、前記透明部としてのレンズ３５と散光部３４とが交互に設けられる。また、前記各レンズ３５の中心間距離Ｄｔ及び前記各散光部３４の中心間距離Ｄｄは、それぞれ前記各発光ダイオード８の中心間距離Ｄｌと一致する。更に、前記透光体３２には、この透光体３２を前記案内溝１２に沿って移動させるための指掛部３６が形成されている。
【００２６】
次に、本実施形態の作用について説明する。まず使用者は、使用目的に応じて、予め前記透光体３２を灯具本体５に対して移動させておく。なお、通常の使用においては、図９に示すように、前記散光部３４によって前記発光ダイオード８の照射側を覆う。そして、使用者は、前記基部２に設けられた図示しない前記スイッチを操作する。このスイッチが操作されると、図示しない前記点灯回路によって、前記灯具３０の発光ダイオード８に電力が供給され、これらの発光ダイオード８が点灯する。
【００２７】
前記発光ダイオード８から照射された光は、前記散光部２６を通過する。この際、前記発光ダイオード８からの照射光は、前記散光部３４によって適度に散乱することになる。従って、前記散光部３４を通過した光は、通過前の光に比べて弱くなるものの、強い影ができない柔らかく目に優しいものとなる。また、前述したように、前記発光ダイオード８からの照射光の中心と周辺とで色斑が生じたとしても、照射光が前記散光部３４を通過する際に適度に散乱することで混色されるので、色斑を目立たせなくすることができる。
【００２８】
そして、明るさが必要な作業を行う場合、図８示すように、前記透光体３２を移動させ、前記レンズ３５によって前記発光ダイオード８の照射側を覆う。そして、前記基部２に設けられた図示しない前記スイッチを操作して、前記発光ダイオード８を点灯させる。これらの発光ダイオード８から照射された光は、前記レンズ３５を通過する。この際、前記発光ダイオード８からの照射光は、殆ど散乱することなく、光学樹脂製の前記レンズ３５を通過する。また、前記レンズ３５を通過した光は、前記レンズ３５を通過する前の光に比べて、やや集光される。従って、前記レンズ３５を通過した光は、色斑及び強くはっきりした影が生じてしまうという欠点はあるものの、通過前の光に比べて殆ど弱くなることなく、被照射面を明るく照らすことができる。
【００２９】
以上のように本発明は、光源としての発光ダイオード８が設けられた灯具本体５と、前記発光ダイオード８の照射側を覆う透光体３２とを有する照明装置としての電気スタンド３０において、前記灯具本体５に対して前記透光体３２を可動に設けると共に、この透光体３２に、前記発光ダイオード８に対応して、透明部としてのレンズ３５と散光部３４を前記透光体３２の移動方向に並べて設けたことで、通常の使用においては、前記発光ダイオード８から照射された光が前記散光部３４を通過するようにすることで、光を適度に散乱させて柔らかくし、目に優しくすることができると共に、前記発光ダイオード８から照射された光の中心と周辺とで色斑があっても、散乱によって混色されるので、色斑を目立たせなくすることができるものである。また、明るさが必要な場合に、前記透光体３２を移動させて、前記発光ダイオード８から照射された光が透明部としての前記レンズ３５を通過するようにすることで、光を殆ど散乱させずに強い光を得ることができるものである。
【００３０】
次に、本発明の第四の実施形態について、図１０乃至図１２に基づいて説明する。４０は照明装置としての電気スタンドである。この電気スタンド４０は、基部２と、この基部２から上方に伸びて設けられた腕部３と、この腕部３の先端に設けられた灯具４１とを有して構成されている。なお、前記基部２には、図示しない点灯回路とスイッチとが設けられている。
【００３１】
前記灯具４１は、略円筒状の灯具本体４２と、略半円筒状の透光体４３とを有して構成されている。そして、この透光体４３は、前記灯具本体４２に対し、その中心軸回りに回動可能となるよう取り付けられている。また、前記外殻体４４の軸方向先端側には、前記透光体４３の回動範囲を規制するための当接部４５が設けられている。また、前記灯具本体４２の外殻体４４内には、光源としての複数の発光ダイオード８が設けられている。なお、本例では前記発光ダイオード８を複数設けているが、出力が十分高ければ、前記発光ダイオード８を一つだけ設けても良い。また、これらの発光ダイオード８は、放熱板４６に伝熱的に取り付けられている。また、前記灯具本体４２の外殻体４４における前記発光ダイオード８の照射側には、この発光ダイオード８から照射される光を通過させるための開口部４７が形成されている。また、前記発光ダイオード８と開口部４７との間には、前記発光ダイオード８に対応して反射体４８が設けられている。更に、前記外殻体４４には、前記放熱板４６に対応して、多数の放熱孔４９が形成されている。
【００３２】
前記透光体４３は、透明な合成樹脂によって成形されている。そして、前記透光体４３には、前記当接部４５に当接可能な縁部５０，５１が設けられている。即ち、前記透光体４３は、前記灯具本体５に対して、前記縁部５０が前記当接部４５に当接した状態と、前記縁部５１が前記当接部４５に当接した状態との間で、回動可能に取り付けられている。なお、本例では、複数の前記発光ダイオード８の並び方向と、前記透光体４３の移動方向とが直交する。そして、前記透光体４３には、表面が平滑に形成された透明部５２と、表面が粗く形成された散光部５３とが、それぞれ前記発光ダイオード８と同数ずつ、前記透光体４３の回動方向に並んで設けられている。なお、前記透光体４３の一部の表面を平滑にすることで前記透明部５２を形成し、前記透光体４３の一部の表面を粗くすることで前記散光部５３を形成することができるので、部品点数を少なくして組み立て工数を減少させることができる。更に、前記透光体４３には、この透光体４３を回動させるための指掛部５４が形成されている。
【００３３】
次に、本実施形態の作用について説明する。まず使用者は、使用目的に応じて、予め前記透光体４３を灯具本体４２に対して移動させておく。なお、通常の使用においては、図１２に示すように、前記散光部５３によって前記発光ダイオード８の照射側を覆う。この際、前記透光体４３の縁部５１を前記当接部４５に当接させることで、前記散光部５３が前記開口部４７と完全に重なる。そして、使用者は、前記基部２に設けられた図示しない前記スイッチを操作する。このスイッチが操作されると、図示しない前記点灯回路によって、前記灯具４１の発光ダイオード８に電力が供給され、これらの発光ダイオード８が点灯する。
【００３４】
前記発光ダイオード８から照射された光は、一部が直接、また一部が前記反射体４８によって反射された後、前記散光部５３を通過する。この際、前記発光ダイオード８からの照射光は、適度に散乱することになる。従って、前記散光部５３を通過した光は、通過前の光に比べて弱くなるものの、強い影ができない柔らかく目に優しいものとなる。また、前述したように、前記発光ダイオード８からの照射光の中心と周辺とで色斑が生じたとしても、照射光が前記散光部５３を通過する際に適度に散乱することで混色されるので、色斑を目立たせなくすることができる。
【００３５】
そして、明るさが必要な作業を行う場合、図１１に示すように、前記透光体４３を回動させ、前記透明部５２によって前記発光ダイオード８の照射側を覆う。なお、前記透光体４３の縁部５０が前記当接部４５に当接するまで前記透光体４３を回動させることで、前記透明部５２が前記開口部４７と完全に重なる。そして、前記基部２に設けられた図示しない前記スイッチを操作して、前記発光ダイオード８を点灯させる。これらの発光ダイオード８から照射された光は、一部が直接、また一部が前記反射体４８によって反射された後、前記透明部５２を通過する。この際、前記発光ダイオード８からの照射光は、殆ど散乱することなく、前記透明部５２を通過する。従って、前記透明部５２を通過した光は、色斑及び強くはっきりした影が生じてしまうという欠点はあるものの、通過前の光に比べて殆ど弱くなることなく、被照射面を明るく照らすことができる。
【００３６】
以上のように本発明は、光源としての発光ダイオード８が設けられた灯具本体４２と、前記発光ダイオード８の照射側を覆う透光体４３とを有する照明装置としての電気スタンド４０において、前記灯具本体４２に対して前記透光体４３を回動可能に設けると共に、この透光体４３に、前記発光ダイオード８に対応して、透明部５２と散光部５３を前記透光体４３の回動方向に並べて設けたことで、通常の使用においては、前記発光ダイオード８から照射された光が前記散光部５３を通過するようにすることで、光を適度に散乱させて柔らかくし、目に優しくすることができると共に、前記発光ダイオード８から照射された光の中心と周辺とで色斑があっても、散乱によって混色されるので、色斑を目立たせなくすることができるものである。また、明るさが必要な場合に、前記透光体４３を回動させて、前記発光ダイオード８から照射された光が前記透明部５２を通過するようにすることで、光を殆ど散乱させずに強い光を得ることができるものである。更に、前記透光体４３の一部の表面を平滑にして前記透明部５２を形成すると共に、一部の表面を粗くして前記散光部５３を形成することで、前記透光体４３を一体成形することができるものである。
【００３７】
次に、本発明の第五の実施形態について、図１３乃至図１５に基づいて説明する。６０は照明装置としての電気スタンドである。この電気スタンド６０は、基部２と、この基部２から上方に伸びて設けられた腕部３と、この腕部３の先端に設けられた灯具６１とを有して構成されている。なお、前記基部２には、図示しない点灯回路とスイッチとが設けられている。
【００３８】
前記灯具６１は、環状の灯具本体６２と、同じく環状の透光体６３とを有して構成されている。なお、本例では前記灯具本体６２及び透光体６３を環状に形成したが、円盤状に形成しても良い。そして、前記灯具本体６２の外殻体６４内には、光源としての複数の発光ダイオード８が環状に並べて設けられている。また、これらの発光ダイオード８は、放熱板６５に伝熱的に取り付けられている。また、前記灯具本体６２の外殻体６４における前記発光ダイオード８の照射側には、前記発光ダイオード８から照射される光を通過させるための開口部６６及び前記透光体６を案内するための案内溝６７が形成されている。また、前記発光ダイオード８と開口部６６との間には、前記発光ダイオード８に対応して反射体６８が設けられている。更に、前記外殻体６４には、前記放熱板６５に対応して、多数の放熱孔６９が形成されている。
【００３９】
前記透光体６３は、透明な合成樹脂によって一体に成形されている。そして、前記透光体６３には、前記案内溝６７に対応して摺動突起７０が設けられている。即ち、前記透光体６３は、前記摺動突起７０が前記案内溝６７を摺動するように、前記灯具本体６２に対して回動可能に取り付けられている。なお、本例では、複数の前記発光ダイオード８の並び方向と、前記透光体６３の回動方向とが一致する。そして、前記透光体６３には、表面が平滑に形成された透明部７１と、表面が粗く形成された散光部７２とが、それぞれ前記発光ダイオード８と同数ずつ、前記透光体６３の回動方向に並んで交互に設けられている。なお、前記透光体６３の一部の表面を平滑にすることで前記透明部７１を形成し、前記透光体６３の一部の表面を粗くすることで前記散光部７２を形成することができるので、部品点数を少なくして組み立て工数を減少させることができる。また、前記各透明部７１の中心間距離Ｄｔ及び前記各散光部７２の中心間距離Ｄｄは、それぞれ前記各発光ダイオード８の中心間距離Ｄｌと一致する。また、前記透光体６３には、この透光体６３を前記案内溝６７に沿って回動させるための指掛部７３が形成されている。
【００４０】
次に、本実施形態の作用について説明する。まず使用者は、使用目的に応じて、予め前記透光体６３を灯具本体６２に対して回動させておく。なお、通常の使用においては、図１５に示すように、前記散光部７２によって前記発光ダイオード８の照射側を覆う。そして、使用者は、前記基部２に設けられた図示しない前記スイッチを操作する。このスイッチが操作されると、図示しない前記点灯回路によって、前記灯具６１の発光ダイオード８に電力が供給され、これらの発光ダイオード８が点灯する。
【００４１】
前記発光ダイオード８から照射された光は、一部が直接、また一部が前記反射体６８によって反射された後、前記散光部７２を通過する。この際、前記発光ダイオード８からの照射光は、適度に散乱することになる。従って、前記散光部７２を通過した光は、通過前の光に比べて弱くなるものの、強い影ができない柔らかく目に優しいものとなる。また、前述したように、前記発光ダイオード８からの照射光の中心と周辺とで色斑が生じたとしても、照射光が前記散光部７２を通過する際に適度に散乱することで混色されるので、色斑を目立たせなくすることができる。
【００４２】
そして、明るさが必要な作業を行う場合、図１４に示すように、前記透光体６３を回動させ、前記透明部７１によって前記発光ダイオード８の照射側を覆う。そして、前記基部２に設けられた図示しない前記スイッチを操作して、前記発光ダイオード８を点灯させる。これらの発光ダイオード８から照射された光は、一部が直接、また一部が前記反射体６８によって反射された後、前記透明部７１を通過する。この際、前記発光ダイオード８からの照射光は、殆ど散乱することなく、前記透明部７１を通過する。従って、前記透明部７１を通過した光は、色斑及び強くはっきりした影が生じてしまうという欠点はあるものの、通過前の光に比べて殆ど弱くなることなく、被照射面を明るく照らすことができる。
【００４３】
以上のように本発明は、光源としての発光ダイオード８が設けられた灯具本体６２と、前記発光ダイオード８の照射側を覆う透光体６３とを有する照明装置としての電気スタンド６０において、前記灯具本体６２に対して前記透光体６３を回動可能に設けると共に、この透光体６３に、前記発光ダイオード８に対応して、透明部７１と散光部７２を前記透光体６３の回動方向に並べて設けたことで、通常の使用においては、前記発光ダイオード８から照射された光が前記散光部７２を通過するようにすることで、光を適度に散乱させて柔らかくし、目に優しくすることができると共に、前記発光ダイオード８から照射された光の中心と周辺とで色斑があっても、散乱によって混色されるので、色斑を目立たせなくすることができるものである。また、明るさが必要な場合に、前記透光体６３を移動させて、前記発光ダイオード８から照射された光が前記透明部７１を通過するようにすることで、光を殆ど散乱させずに強い光を得ることができるものである。更に、前記透光体６３の一部の表面を平滑にして前記透明部７１を形成すると共に、一部の表面を粗くして前記散光部７２を形成することで、前記透光体６３を一体成形することができるものである。
【００４４】
次に、本発明の第六の実施形態について、図１６乃至図２０に基づいて説明する。８０は照明装置としての電気スタンドである。この電気スタンド８０は、基部２と、この基部２から上方に伸びて設けられた腕部３と、この腕部３の先端に設けられた灯具８１とを有して構成されている。なお、前記基部２には、図示しない点灯回路とスイッチとが設けられている。
【００４５】
前記灯具８１は、灯具本体８２と、第一の透光体８３と、第二の透光体８４とを有して構成されている。前記灯具本体８２の外殻体８５内には、光源としての複数の発光ダイオード８が設けられている。なお、本例では前記発光ダイオード８を複数設けているが、出力が十分高ければ、前記発光ダイオード８を一つだけ設けても良い。また、これらの発光ダイオード８は、放熱板８６に伝熱的に取り付けられている。また、前記灯具本体８２の外殻体８５における前記発光ダイオード８の照射側には、凹部８７が設けられていると共に、この凹部８７に、前記発光ダイオード８から照射される光を通過させるための開口部８８と、前記第一の透光体８３を案内するための第一の案内溝８９と、前記第二の透光体８４を案内するための第二の案内溝９０が形成されている。なお、前記前記第一の案内溝８９は、前記凹部８７と前記外殻体８５の外面との間を貫通して形成されている。また、前記発光ダイオード８と開口部８８との間には、前記発光ダイオード８に対応して反射体９１が設けられている。更に、前記外殻体８５には、前記放熱板８６に対応して、多数の放熱孔９２が形成されている。
【００４６】
前記第一の透光体８３と第二の透光体８４は、前記発光ダイオード８の照射方向に重ねて設けられている。そして、前記第一の透光体８３は、透明な合成樹脂によって成形されている。また、前記第一の透光体８３には、前記第一の案内溝８９に対応して指掛部９３が設けられている。なお、この指掛部９３は、前記第一の案内溝８９を貫通して、前記外殻体８５よりも外側に露出している。即ち、前記第一の透光体８３は、前記指掛部９３が前記第一の案内溝８９を摺動するように、前記灯具本体８２に対して移動可能に取り付けられている。なお、本例では、複数の前記発光ダイオード８の並び方向と、前記第一の透光体８３の移動方向とが一致する。そして、前記第一の透光体８３には、表面が平滑に形成された凹部９４が、前記発光ダイオード８の２倍、前記透光体８３の移動方向に並んで設けられている。そして、前記凹部９４の半数、即ち前記発光ダイオード８と同数に、色フィルタ９５が取り付けられている。なお、前記色フィルタ９５は、前記凹部９４に一つおきに取り付けられる。これによって、前記第一の透光体８３には、前記色フィルタ９５が取り付けられない凹部９４と、前記色フィルタ９５が取り付けられた凹部９５とが交互に設けられる。また、前記色フィルタ９５が取り付けられていない凹部９４の中心間距離Ｄｈと、前記色フィルタ９５が取り付けられた凹部９４の中心間距離Ｄｆは、それぞれ前記各発光ダイオード８の中心間距離Ｄｌと一致する。更に、前記色フィルタ９５は、淡い橙色透明になっている。
【００４７】
前記第二の透光体８４は、透明な合成樹脂によって一体に成形されている。そして、前記第二の透光体８４には、前記第二の案内溝９０に対応して図示しない摺動突起が設けられている。即ち、前記第二の透光体８４は、図示しない前記摺動突起が前記案内溝９０を摺動するように、前記灯具本体８２に対して移動可能に取り付けられている。なお、本例では、複数の前記発光ダイオード８の並び方向と、前記第二の透光体８４の移動方向とが一致する。即ち、本例では、前記第一の透光体８３の移動方向と第二の透光体８４の移動方向も一致する。そして、前記第二の透光体８４には、表面が平滑に形成された透明部９６と、表面が粗く形成された散光部９７とが、それぞれ前記発光ダイオード８と同数ずつ、前記第二の透光体８４の移動方向に並んで交互に設けられている。なお、前記第二の透光体８４の一部の表面を平滑にすることで前記透明部９６を形成し、前記第二の透光体８４の一部の表面を粗くすることで前記散光部９７を形成することができるので、部品点数を少なくして組み立て工数を減少させることができる。また、前記各透明部９６の中心間距離Ｄｔ及び前記各散光部９７の中心間距離Ｄｄは、それぞれ前記各発光ダイオード８の中心間距離Ｄｌと一致する。即ち、Ｄｌ＝Ｄｔ＝Ｄｄ＝Ｄｈ＝Ｄｆである。また、前記第二の透光体８４には、この第二の透光体８４を前記案内溝９０に沿って移動させるための指掛部９８が形成されている。
【００４８】
次に、本実施形態の作用について説明する。まず使用者は、使用目的に応じて、予め前記第一の透光体８３及び第二の透光体８４を灯具本体８２に対して移動させておく。なお、通常の使用においては、図１８又は図２０に示すように、前記散光部９７によって前記発光ダイオード８の照射側を覆う。ここではまず、前記発光ダイオード８からの光で被照射面をそのまま照射する場合について説明する。この場合、図１８に示すように、前記第一の透光体８３を移動させて前記色フィルタ９５が取り付けられていない凹部９４で前記発光ダイオード８を覆うようにする。そして、使用者は、前記基部２に設けられた図示しない前記スイッチを操作する。このスイッチが操作されると、図示しない前記点灯回路によって、前記灯具８１の発光ダイオード８に電力が供給され、これらの発光ダイオード８が点灯する。
【００４９】
前記発光ダイオード８から照射された光は、一部が直接、また一部が前記反射体９１によって反射された後、前記第一の透光体８３の凹部９４及び第二の透光体８４の散光部９７を通過する。この際、前記発光ダイオード８からの照射光は、前記散光部９７によって適度に散乱することになる。従って、前記散光部９７を通過した光は、通過前の光に比べて弱くなるものの、強い影ができない柔らかく目に優しいものとなる。また、前述したように、前記発光ダイオード８からの照射光の中心と周辺とで色斑が生じたとしても、照射光が前記散光部９７を通過する際に適度に散乱することで混色されるので、色斑を目立たせなくすることができる。
【００５０】
一方、前記発光ダイオード８からの光の色を変換して被照射面を照射する場合、図２０に示すように、前記第一の透光体８３を移動させて前記色フィルタ９５が取り付けられた凹部９４で前記発光ダイオード８を覆うようにする。そして、使用者は、前記基部２に設けられた図示しない前記スイッチを操作する。このスイッチが操作されると、図示しない前記点灯回路によって、前記灯具８１の発光ダイオード８に電力が供給され、これらの発光ダイオード８が点灯する。
【００５１】
前記発光ダイオード８から照射された光は、一部が直接、また一部が前記反射体９１によって反射された後、前記第一の透光体８３の色フィルタ９５及び第二の透光体８４の散光部９７を通過する。この際、前記発光ダイオード８からの照射光は、淡い橙色透明の前記色フィルタ９５によって淡青色成分の光が吸収されて、やや橙色を帯びた色となった後、前記散光部９７によって適度に散乱することになる。従って、前記色フィルタ９５及び散光部９７を通過した光は、擬似的に、電球のような色合いの光となる。また、前記色フィルタ９５及び散光部９７を通過した光は、通過前の光に比べて弱くなるものの、強い影ができない柔らかく目に優しいものとなる。また、前述したように、前記発光ダイオード８からの照射光の中心と周辺とで色斑が生じたとしても、照射光が前記散光部９７を通過する際に適度に散乱することで混色されるので、色斑を目立たせなくすることができる。
【００５２】
そして、明るさが必要な作業を行う場合、図１７又は図１９に示すように、前記第二の透光体８４を移動させ、前記透明部９６によって前記発光ダイオード８の照射側を覆う。なお、前記発光ダイオード８からの光で被照射面をそのまま照射する場合と、前記発光ダイオード８からの光の色を変換して照射する場合とで、前記第一の透光体８３を移動させるという点は前述した通りなので、説明を省略する。そして、前記基部２に設けられた図示しない前記スイッチを操作して、前記発光ダイオード８を点灯させる。これらの発光ダイオード８から照射された光は、一部が直接、また一部が前記反射体９１によって反射された後、前記第一の透光体８３の凹部９４又は色フィルタ９５と、前記第二の透光体８４の透明部９６を通過する。この際、前記発光ダイオード８からの照射光は、そのまま、或いは前記色フィルタ９５によってやや橙色を帯びた色となった後、殆ど散乱することなく前記透明部９６を通過する。従って、前記透明部９６を通過した光は、色斑及び強くはっきりした影が生じてしまうという欠点はあるものの、通過前の光に比べて殆ど弱くなることなく、被照射面を明るく照らすことができる。
【００５３】
以上のように本発明は、光源としての発光ダイオード８が設けられた灯具本体８２と、前記発光ダイオード８の照射側を覆う第一及び第二の透光体８３，８４とを有する照明装置としての電気スタンド８０において、前記灯具本体８２に対して前記第二の透光体８４を可動に設けると共に、この第二の透光体８４に、前記発光ダイオード８に対応して、透明部９６と散光部９７を前記第二の透光体８４の移動方向に並べて設けたことで、通常の使用においては、前記発光ダイオード８から照射された光が前記散光部９７を通過するようにすることで、光を適度に散乱させて柔らかくし、目に優しくすることができると共に、前記発光ダイオード８から照射された光の中心と周辺とで色斑があっても、散乱によって混色されるので、色斑を目立たせなくすることができるものである。また、明るさが必要な場合に、前記第二の透光体８４を移動させて、前記発光ダイオード８から照射された光が前記透明部９６を通過するようにすることで、光を殆ど散乱させずに強い光を得ることができるものである。更に、前記第二の透光体８４の一部の表面を平滑にして前記透明部９６を形成すると共に、一部の表面を粗くして前記散光部９７を形成することで、前記第二の透光体８４を一体成形することができるものである。
【００５４】
なお、本発明は以上の実施形態に限定されるものではなく、発明の要旨の範囲内で種々の変形実施が可能である。例えば、上記各実施形態では、前記透光体に、透明部と一種類の散光部を設けたが、透明部と散乱度の異なる複数種類の散光部を設けるようにしても良い。また、第六の実施形態において、色フィルタの色を淡い橙色透明としたが、電球色の発光ダイオードに対して淡青色透明の色フィルタを用いることで、擬似的に白色光を得るようにしても良い。更に、第六の実施例において、第一の透光体に色フィルタを、第二の透光体に透明部と散光部を設けたが、色フィルタと透明部と散光部を一つの透光体に設けても良い。
【図面の簡単な説明】
【００５５】
【図１】本発明の第一の実施形態を示す、照明装置としての電気スタンドの外観図である。
【図２】同、透光体の透明部が発光ダイオードを覆った状態における灯具の拡大図であり、（ａ）は底面図、（ｂ）は断面図である。
【図３】同、透光体の散光部が発光ダイオードを覆った状態における灯具の拡大図であり、（ａ）は底面図、（ｂ）は断面図である。
【図４】本発明の第二の実施形態を示す、照明装置としての電気スタンドの外観図である。
【図５】同、透光体の透明部が発光ダイオードを覆った状態における灯具の拡大図であり、（ａ）は底面図、（ｂ）は断面図である。
【図６】同、透光体の散光部が発光ダイオードを覆った状態における灯具の拡大図であり、（ａ）は底面図、（ｂ）は断面図である。
【図７】本発明の第三の実施形態を示す、照明装置としての電気スタンドの外観図である。
【図８】同、透光体の透明部が発光ダイオードを覆った状態における灯具の拡大図であり、（ａ）は底面図、（ｂ）は断面図である。
【図９】同、透光体の散光部が発光ダイオードを覆った状態における灯具の拡大図であり、（ａ）は底面図、（ｂ）は断面図である。
【図１０】本発明の第四の実施形態を示す、照明装置としての電気スタンドの外観図である。
【図１１】同、透光体の透明部が発光ダイオードを覆った状態における灯具の拡大図であり、（ａ）は底面図、（ｂ）はＡ−Ａ断面図である。
【図１２】同、透光体の散光部が発光ダイオードを覆った状態における灯具の拡大図であり、（ａ）は底面図、（ｂ）はＡ−Ａ断面図である。
【図１３】本発明の第五の実施形態を示す、照明装置としての電気スタンドの外観図である。
【図１４】同、透光体の透明部が発光ダイオードを覆った状態における灯具の拡大図であり、（ａ）は底面図、（ｂ）はＢ−Ｂ断面図である。
【図１５】同、透光体の散光部が発光ダイオードを覆った状態における灯具の拡大図であり、（ａ）は底面図、（ｂ）はＢ−Ｂ断面図である。
【図１６】本発明の第六の実施形態を示す、照明装置としての電気スタンドの外観図である。
【図１７】同、第一の透光体の凹部と第二の透光体の透明部が発光ダイオードを覆った状態における灯具の拡大図であり、（ａ）は底面図、（ｂ）は断面図である。
【図１８】同、第一の透光体の凹部と第二の透光体の散光部が発光ダイオードを覆った状態における灯具の拡大図であり、（ａ）は底面図、（ｂ）は断面図である。
【図１９】同、第一の透光体の色フィルタと第二の透光体の透明部が発光ダイオードを覆った状態における灯具の拡大図であり、（ａ）は底面図、（ｂ）は断面図である。
【図２０】同、第一の透光体の色フィルタと第二の透光体の散光部が発光ダイオードを覆った状態における灯具の拡大図であり、（ａ）は底面図、（ｂ）は断面図である。
【符号の説明】
【００５６】
１，２０，３０，４０，６０，８０  電気スタンド（照明装置）
５，４２，６２，８２  灯具本体
６，２２，３２，４３，６３  透光体
８  発光ダイオード
１５，２５，５２，７１，９６  透明部
１６，２６，３４，５３，７２，９７  散光部
３５  レンズ（透明部）
８４  第二の透光体（透光体）
【図１】
2010153106.tif 000003
【図２】
2010153106.tif 000004
【図３】
2010153106.tif 000005
【図４】
2010153106.tif 000006
【図５】
2010153106.tif 000007
【図６】
2010153106.tif 000008
【図７】
2010153106.tif 000009
【図８】
2010153106.tif 000010
【図９】
2010153106.tif 000011
【図１０】
2010153106.tif 000012
【図１１】
2010153106.tif 000013
【図１２】
2010153106.tif 000014
【図１３】
2010153106.tif 000015
【図１４】
2010153106.tif 000016
【図１５】
2010153106.tif 000017
【図１６】
2010153106.tif 000018
【図１７】
2010153106.tif 000019
【図１８】
2010153106.tif 000020
【図１９】
2010153106.tif 000021
【図２０】
2010153106.tif 000022